(57)【特許請求の範囲】
【請求項１】
無線通信システムにおける導波管等のアンテナへの給電線系(56a) である負荷(56)に乾燥空気を一定圧力範囲内で封入し、電送特性の劣化を防止すべく前記負荷(56)内の湿度を一定値以下に抑える湿度制御において、乾燥空気供給源である供給装置(44)と前記負荷(56)との間の乾燥空気供給ラインの途中に、前記負荷(56)を含めた乾燥空気供給ライン中の湿度を検出する湿度センサ(11)と僅かな乾燥剤(8) とを一緒に位置させ、前記湿度センサ(11)の検出信号が予め設定したしきい値以上となると、前記負荷(56)を含めた乾燥空気供給ライン中の空気が湿度劣化したと判断し、前記乾燥剤(8) の除湿能力を、前記供給装置(44)側の乾燥空気供給ライン中の透湿水分は前記湿度センサ(11)の検出信号が前記しきい値に達しないように除湿できるが、前記負荷(56)側の乾燥空気供給ライン中の透湿水分は前記湿度センサ(11)の検出信号が前記しきい値に達しない程には除湿できないように設定したアンテナの湿度監視方法。
【請求項２】
乾燥空気供給源である供給装置(44)からの乾燥空気供給ラインを形成する送気パイプ(54)が接続される入口ポート(3)と、導波管等のアンテナへの給電線系(56a)である負荷(56)への乾燥空気供給ラインを形成する接続パイプ(55)が接続される接続ポート(7)と、乾燥空気排出用の送出ポート(4)と、そして前記負荷(56)を含めた乾燥空気供給ライン中の湿度を検出し、該負荷(56)を含めた乾燥空気供給ライン中の空気が湿度劣化すると、検出信号が予め設定したしきい値以上となる湿度センサー(11)を装着した装着ポート(5)とを設けた密閉中空体内に、前記送気パイプ(54)中の透湿水分は前記湿度センサー(11)の検出信号が予め設定したしきい値に達しないように除湿できるが、前記負荷(56)を含めた接続パイプ(55)側中の透湿水分は前記湿度センサー(11)の検出信号が前記しきい値に達しない程には除湿できない除湿能力に設定された乾燥剤(8)を、前記各ポートへの飛散を防止した状態で収納したアンテナの湿度監視器。
【請求項３】
密閉中空体を、有底筒形状の本体筒(2) と、該本体筒(2) の上端開口部に密に組付く有頂筒形状のキャップ筒(6) とから構成し、入口ポート(3) を前記本体筒(2) の底壁に設けると共に、送出ポート(4) と装着ポート(5) を前記本体筒(2) の筒壁に設け、接続ポート(7) を前記キャップ筒(6) の頂壁に設けた請求項２記載のアンテナの湿度監視器。
【請求項４】
負荷(56)を含めた乾燥空気供給ライン中の湿度を検出し、該負荷(56)を含めた乾燥空気供給ライン中の空気が湿度劣化すると、検出信号が予め設定したしきい値以上となる湿度センサー(11)と、乾燥空気供給源である供給装置(44)からの乾燥空気供給ラインを形成する送気パイプ(54)中の透湿水分は前記湿度センサー(11)の検出信号が予め設定したしきい値に達しないように除湿できるが、導波管等のアンテナへの給電線系(56a)である負荷(56)への乾燥空気供給ラインを形成する接続パイプ(55)側中の透湿水分は前記湿度センサー(11)の検出信号が前記しきい値に達しない程には除湿できない除湿能力に設定した乾燥剤(8)とを一緒に収納した湿度監視器(1)の入口ポート(3)を、前記送気パイプ(54)が接続される入口ポート(36)とし、前記複数の給電線系(56a)毎に設けた接続パイプ(55)が個々に接続される出力ポート(37)を、個々に手動開閉バルブ(15)を介して前記湿度監視器(1)の接続ポート(7)に接続し、外気中に開放した強制放出ポート(39)を、強制開閉バルブ(19)を介して前記湿度監視器(1)の接続ポート(7)に接続し、同じく外気中に開放している放出ポート(38)を、電磁弁(17)と調整バルブ(18)との直列管路を介して前記湿度監視器(1)の送出ポート(4)に接続し、前記湿度監視器(1)の湿度センサ(11)の検出信号を入力し、該検出信号の大きさが前記しきい値以上となったならば、前記電磁弁(17)を設定した一定時間作動させる作動信号を出力し、前記電磁弁(17)の一定時間の作動後であっても前記湿度センサ(11)の検出信号が、前記しきい値以上である場合には、警報信号を出力する制御回路部(20)を設けたアンテナの湿度制御装置。
【請求項５】
出口ポート(37)と並列に、負荷(56)としての新たな給電線系(56a) を接続するための増設用ポート(40)を設けた請求項４記載のアンテナの湿度制御装置。
【請求項６】
制御回路部(20)を、湿度監視器(1) の湿度センサ(11)からの検出信号が予め設定したしきい値以上となると作動信号を出力する回路手段と、前記作動信号の入力により作動する第一タイマー(30)と第二タイマー(31)とから成るタイマー回路(29)とから構成し、前記第一タイマー(30)を、一定の自己保持時間を有し、電磁弁(17)の電源との接続を制御する常開型接点である第一タイマー接点I(30a) と、常閉型接点である第一タイマー接点II(30b) とで構成し、前記第二タイマー(31)を、一定の作動開始遅延時間を有し、前記第一タイマー接点II(30b) と直列接続されて警報出力回路を形成する常開型接点である第二タイマー接点(31a) で構成した請求項４記載のアンテナの湿度制御装置。
【発明の詳細な説明】
【０００１】
【産業上の利用分野】
本発明は、無線通信システムにおいて、導波管等のアンテナへの給電線系に乾燥空気を一定圧力範囲内で封入し、電送特性の劣化を防止すべく給電線系内の湿度を一定値以下に抑える湿度制御における湿度監視方法と湿度監視器および湿度制御装置に関するものである。
【０００２】
【従来の技術】
無線通信システムにおける導波管等のアンテナへの給電線系である負荷に乾燥空気を一定圧力範囲内で封入し、電送特性の劣化を防止すべく負荷内の湿度を一定値以下に抑える従来の手法（以下、図１参照）は、アンテナに近い遠隔地に設けられた無人の無線室４３内に装備された乾燥空気供給源である供給装置４４からの乾燥空気を、送気パイプ５４を介して無線室４３内の分岐箱Ｂに送出し、この分岐箱Ｂに個々に接続パイプ５５で接続された無線室４３外の負荷５６である各給電線系５６ａに分岐供給して封入し、負荷５６内を常に乾燥状態に維持するものとなっている。
【０００３】
供給装置４４は、空気を圧縮して送り出す圧縮機４５からの圧縮空気を乾燥剤を収納した収着槽４６を通して乾燥空気とし、この乾燥空気を遮断電磁弁４７、逆止弁４８を経て送気ポート５２から送気パイプ５４に送り出す構造となっており、この供給装置４４からの乾燥空気は、圧力開閉器４９により下限圧力値と上限圧力値とが設定されており、乾燥空気が負荷５６側に上限圧力値まで圧入供給されると、圧力開閉器４９からの指令により遮断電磁弁４７が遮断状態となると共に、圧縮機４５が停止し、負荷５６内の圧力が下限圧力値になったならば、圧力開閉器４９からの指令により圧縮機４５が作動すると共に、遮断電磁弁４７が連通状態となって、負荷５６側に乾燥空気を上限圧力値まで供給する。
【０００４】
このように、一定圧力値範囲の乾燥空気を負荷５６内に封入しておくのは、負荷５６側内に外部の水分がピンホール等を通して侵入するのを防止するためであるが、この負荷５６側に封入した乾燥空気の湿度監視は、供給装置４４の送気ポート５２箇所に、収着槽４６内の乾燥剤と同じ乾燥剤を収納するか、湿度検出器を使用した検出器Ｋを設けて行っていた。
【０００５】
上記した従来技術における検出器Ｋは、供給装置４４から送出される乾燥空気の湿度を監視するためのものであって、検出器Ｋとして乾燥剤を使用した場合には、青色の乾燥剤が桃色に変色したことにより、また検出器Ｋとして湿度検出器を使用した場合には、この湿度検出器からの検出出力の値により、収着槽４６内の乾燥剤の除湿能力が劣化したと判断し、収着槽４６内の乾燥剤を新しい乾燥剤と交換するのであるが、検出器Ｋとして湿度検出器を使用した場合には、検出出力が予め設定した値以上となると警報器５１から警報出力端子５３を介して有人の監視所にその旨が知らされる。
【０００６】
すなわち、従来技術にあっては、乾燥空気供給源である供給装置４４の乾燥空気生産能力を常時監視することにより、無線通信システムにおける導波管等のアンテナへの給電線系である負荷側の湿度を一定値以下に抑え、負荷の湿度による電送特性の劣化を防止していたのである。
【０００７】
【発明が解決しようとする課題】
しかしながら、上記した従来技術にあっては、負荷５６と接続パイプ５５とが屋外に装備されていて、外気と風雨に直接曝されることにより、また負荷５６内の圧力が上限圧力値から下限圧力値に下降するまでの供給装置４４が休止している長期間にわたる密閉状態での、送気パイプ５４と接続パイプ５５と負荷５６における透湿により、以下に示す問題点があった。
【０００８】
その１は、負荷５６に発生した漏洩口からの水分侵入で、負荷５６にピンホール等の漏洩口が発生した場合に備えて、この漏洩口からの水分の侵入を防止すべく、外気圧を考慮して負荷５６内に乾燥空気を一定圧力で封入しているが、突発的暴風雨等によりこの封入圧力を越える外圧が加わると、この負荷５６内に漏洩口から水分が侵入することがある。
【０００９】
その２は、負荷５６側の密閉状態が長期間にわたって維持されることによる乾燥度劣化で、負荷５６側を構成する材料の経時的透湿により負荷５６内の乾燥度は徐々に劣化するが、特に吸湿性、透湿性のある非金属材料で製造されるのが一般である送気パイプ５４や接続パイプ５５、そして各接続部に使用されているパッキング類から透湿により、負荷５６内の乾燥度が劣化する。
【００１０】
このように、負荷５６側の乾燥度が劣化すると、負荷５６側の乾燥度の劣化した空気が供給装置４４側に拡散して逆流し、供給装置４４の検出器Ｋを作動させることになるため、収着槽４６内の乾燥剤が劣化していないのに、乾燥剤が劣化したと誤認したり、供給装置４４の動作不良と誤認することになり、負荷５６として複数の給電線系５６ａが接続され、負荷容量が大きい場合に、上記した誤認が発生し易かった。
【００１１】
その３は、上記した問題点に対応するために、周期的に負荷５６内の空気の入れ換え作業を必要とすることで、負荷５６内の空気の入れ換え作業の周期と作業時間は、負荷５６の気密性、外気条件、送気パイプ５４および接続パイプ５５の材質等により異なり、一概には決められないので、現場対応とならざるを得ず、このため詳細な現地調査を必要とすると共に、周期的に遠隔地の無線室まで出向かなければならないので、多大な人手と費用とを要し、無線通信システムの稼働との関連から作業日時に大幅な制約を受けることになり、場合によっては、無線通信システムの送受信を一時停止すると云う重大な不都合を生じることになる。
【００１２】
そこで、本発明は、上記した従来技術における問題点を解消すべく創案されたもので、無線室内の透湿程度の低い供給装置側の透湿に影響されることなく、負荷側の湿度を常時監視することを技術的課題とし、もって負荷側の湿度劣化を早期にかつ正確に検出し、この検出結果に基づいて、負荷側の湿度劣化空気の乾燥空気との自動入れ換えを可能として、無線通信システムの送受信の信頼性を向上させると共に、負荷内の乾燥度維持に要する経費の大幅な軽減を達成することを目的とする。
【００１３】
【課題を解決するための手段】
上記技術的課題を解決する本発明の第１の手段は、
無線通信システムにおける導波管等のアンテナへの給電線系である負荷に乾燥空気を一定圧力範囲内で封入し、電送特性の劣化を防止すべく負荷内の湿度を一定値以下に抑える湿度制御に関するものであること、
乾燥空気供給源である供給装置と負荷との間の乾燥空気供給ラインの途中に、負荷を含めた乾燥空気供給ライン中の湿度を検出する湿度センサと僅かな乾燥剤とを一緒に位置させること、
湿度センサの検出信号が予め設定したしきい値以上となると、負荷を含めた乾燥空気供給ライン中の空気が湿度劣化したと判断すること、
乾燥剤の除湿能力を、供給装置側の乾燥空気供給ライン中の透湿水分は湿度センサの検出信号がしきい値に達しないように除湿できるが、負荷側の乾燥空気供給ライン中の透湿水分は湿度センサの検出信号がしきい値に達しない程には除湿できないように設定すること、
とした湿度監視方法にある。
【００１４】
本発明の第２の手段は、
乾燥空気供給源である供給装置からの乾燥空気供給ラインを形成する送気パイプが接続される入口ポートと、導波管等のアンテナへの給電線系である負荷への乾燥空気供給ラインを形成する接続パイプが接続される接続ポートと、乾燥空気排出用の送出ポートと、そして負荷を含めた乾燥空気供給ライン中の湿度を検出し、この負荷を含めた乾燥空気供給ライン中の空気が湿度劣化すると、検出信号が予め設定したしきい値以上となる湿度センサーを装着した装着ポートとを設けた密閉中空体をもうけること、
この密閉中空体内に、送気パイプ中の透湿水分は湿度センサーの検出信号が予め設定したしきい値に達しないように除湿できるが、負荷を含めた接続パイプ側中の透湿水分は湿度センサーの検出信号がしきい値に達しない程には除湿できない除湿能力に設定された乾燥剤を、各ポートへの飛散を防止した状態で収納すること、
とした湿度監視器にある。
【００１５】
本発明の第２の手段において、密閉中空体を、有底筒形状の本体筒と、この本体筒の上端開口部に密に組付く有頂筒形状のキャップ筒とから構成し、入口ポートを本体筒の底壁に設けると共に、送出ポートと装着ポートを本体筒の筒壁に設け、接続ポートをキャップ筒の頂壁に設けるのが良い。
【００１６】
本発明の第３の手段は、
負荷を含めた乾燥空気供給ライン中の湿度を検出し、この負荷を含めた乾燥空気供給ライン中の空気が湿度劣化すると、検出信号が予め設定したしきい値以上となる湿度センサーと、乾燥空気供給源である供給装置からの乾燥空気供給ラインを形成する送気パイプ中の透湿水分は湿度センサーの検出信号が予め設定したしきい値に達しないように除湿できるが、導波管等のアンテナへの給電線系である負荷への乾燥空気供給ラインを形成する接続パイプ側中の透湿水分は湿度センサーの検出信号がしきい値に達しない程には除湿できない除湿能力に設定された乾燥剤とを一緒に収納した湿度監視器の入口ポートを、送気パイプが接続される入口ポートとすること、
複数の給電線系毎に設けた接続パイプが個々に接続される出力ポートを、個々に手動開閉バルブを介して湿度監視器の接続ポートに接続すること、
外気中に開放した強制放出ポートを、強制開閉バルブを介して湿度監視器の接続ポートに接続すること、
同じく外気中に開放している放出ポートを、電磁弁と調整バルブとの直列管路を介して湿度監視器の送出ポートに接続すること、
湿度監視器の湿度センサの検出信号を入力し、この検出信号の大きさが予め設定したしきい値以上となったならば、電磁弁を設定した一定時間作動させる作動信号を出力し、電磁弁の一定時間の作動後であっても湿度センサの検出信号が、しきい値以上である場合には、警報信号を出力する制御回路部を設けること、
とした湿度制御装置にある。
【００１７】
本発明の第３の手段において、出口ポートと並列に、負荷としての新たな給電線系を接続するための増設用ポートを設けるのが便利である。
【００１８】
また、本発明の第３の手段において、制御回路部を、湿度監視器の湿度センサからの検出信号が予め設定したしきい値以上となると作動信号を出力する回路手段と、作動信号の入力により作動する第一タイマーと第二タイマーとから成るタイマー回路とから構成し、第一タイマーを、一定の自己保持時間を有し、電磁弁の電源との接続を制御する常開型接点である第一タイマー接点Iと、常閉型接点である第一タイマー接点IIとで構成し、第二タイマーを、一定の作動開始遅延時間を有し、第一タイマー接点IIと直列接続されて警報出力回路を形成する常開型接点である第二タイマー接点で構成するのが良い。
【００１９】
【作用】
湿度センサは、負荷を含めた乾燥空気供給ライン中の湿度を検出すべく、乾燥空気供給ラインの途中に設けられているので、負荷および乾燥空気供給ラインを形成する送気パイプと接続パイプにおける漏洩口からの侵入水分および透湿水分を、常時監視することになる。
【００２０】
しかしながら、この湿度センサは、乾燥空気供給装置側の乾燥空気供給ラインを形成する短い送気パイプにおける透湿水分は湿度センサの検出信号がしきい値に達しないように除湿できるが、負荷側の乾燥空気供給ラインを形成する長い接続パイプにおける透湿水分は湿度センサの検出信号がしきい値に達しない程には除湿できないように除湿能力が設定された僅かな乾燥剤と一緒に設けられているので、湿度センサが監視する湿度は、実質的には負荷側の乾燥空気供給ラインの湿度と云うことになる。
【００２１】
それゆえ、通常の状態では、湿度センサは、この湿度センサに接近している供給装置側の乾燥空気供給ラインにおける僅かな透湿水分に影響されることなく、長大な負荷側の乾燥空気供給ラインの湿度を監視することになる。
【００２２】
装着ポートに湿度センサを装着した湿度監視器は、僅かな乾燥剤を内蔵した密閉中空体に送気パイプが接続される入口ポートと、接続パイプが接続される接続ポートと送出ポートとを有しているので、供給装置から負荷である各給電線系に供給される乾燥空気は、必ずこの湿度監視器内を通過すると共に、負荷を含めた乾燥空気供給ラインは、常時この湿度監視器内部に連通した状態となっており、また必要に応じて送出ポートから乾燥空気供給ライン中の乾燥空気を外気中に排出する。
【００２３】
このように、湿度センサを装着した湿度監視器は、常時乾燥空気供給ラインと連通状態となっていると共に、乾燥空気供給ラインに出入りする乾燥空気が必ず通過する部分となっているので、乾燥空気供給ライン中に封入された乾燥空気は当然のこととして、供給装置から乾燥空気供給ラインに供給される乾燥空気および乾燥空気供給ラインから外気中に排出される乾燥空気の全ての湿度を湿度センサで監視することになる。
【００２４】
湿度制御装置は、湿度監視器の入口ポートである入力ポートから湿度監視器を経て配管した構成となっているので、供給装置から送出される乾燥空気は、全てこの湿度監視器を通過することになる。
【００２５】
負荷に封入した乾燥空気が湿度劣化して、湿度監視器の湿度センサの検出信号が制御回路部が設定しているしきい値以上となると、この制御回路部からの作動信号の出力により湿度監視器の送出ポートに接続された電磁弁が設定された一定時間開放し、負荷内の圧力が急速に下限圧力値以下まで低下しないように、電磁弁の一定開放時間、負荷の容量等に対応して単位時間の流量を調整する調整バルブを経て、負荷内の湿度劣化空気を放出ポートから外気中に放出する。
【００２６】
負荷内の湿度劣化空気の放出により負荷内の圧力が下限圧力値となると、供給装置の圧力開閉器の作用により圧縮機が作動して乾燥空気が湿度監視器に供給され始めるが、この供給される乾燥空気は一部を電磁弁を経て外気中に放出されるものの、大部分は湿度監視器を通って内圧の低下している負荷側に送入され、この乾燥空気の負荷側への送入により、湿度センサの雰囲気は乾燥空気により乾燥した状態となるので、湿度センサの検出信号の値はしきい値以下となり、これにより制御回路部の作動信号の出力は停止して一定時間経過後に電磁弁は閉鎖し、また湿度監視器内の乾燥剤は乾燥空気によりその除湿能力が回復する。
【００２７】
電磁弁が閉鎖しても、負荷側に対する供給装置からの乾燥空気の供給は、負荷側の内圧が上限圧力値に達するまで継続し、これにより負荷内の湿度劣化空気の乾燥空気との入れ換えが達成されるが、この空気の入れ換えは一回の操作で達成されるとは限らず、場合によっては数回繰り返すことになる。
【００２８】
負荷側の乾燥空気供給ライン中に浸水が溜まった状態のように、きわめて湿度劣化程度が大きいと、乾燥空気が負荷側に送入されても、湿度センサの検出信号がしきい値以下とならない場合があるが、このような場合には、電磁弁が設定された一定時間経過後も開放状態となることを利用して制御回路から警報信号を監視局側に出力する。
【００２９】
警報信号を受けた監視局側では、現場に出向いて状況に応じて、必要である場合には、手動開閉バルブを操作して、どの給電線系に湿度劣化または圧力低下が発生しているのかを切り分け調査したり、または突発的な暴風雨等の外気条件等により、負荷の湿度劣化程度が激しく、上記した通常の乾燥空気入れ換え動作では、到底湿度劣化状態を早期に回復し切れないと判断される場合は、強制開閉バルブを開放して、短時間の内に、負荷内の湿度劣化空気を放出すると共に、接続パイプ内の浸水を強制的に排出した後、供給装置から乾燥空気を負荷に封入し、負荷内の乾燥度を短時間の内に回復させる。
【００３０】
また、湿度劣化を生じることなく、漏出等により負荷内の乾燥空気の圧力が下限圧力値まで低下した場合には、供給装置の圧力開閉器の作用により、供給装置から負荷に自動的に乾燥空気が補充されるが、この際、例え供給装置と湿度制御装置とを結ぶ送気パイプに透湿があったとしても、この送気パイプにおける透湿水分は湿度監視器の乾燥剤により吸湿されるので、湿度センサの検出信号が、この送気パイプにおける透湿水分によりしきい値以上となることはなく、これにより制御回路部から出力される作動信号は、負荷側の湿度だけに従って出力されるものとなる。
【００３１】
【実施例】
以下、本発明の一実施例を図１ないし図４を参照しながら説明する。
図１は、無線通信システムにおける、負荷５６内の乾燥空気を制御する一つの無人監視設備の概略構成を示すもので、無人の無線室４３内に、従来と同じ供給装置４４と、従来の分岐箱Ｂに代えて湿度制御装置１４とを設け、この湿度制御装置１４に、屋外に設置された複数の給電線系５６ａである負荷５６を、各給電線系５６ａ別に接続パイプ５５で接続した構成となっている。
【００３２】
従来の分岐箱Ｂに代えて設けられた湿度制御装置１４（以下、図２参照）は、その入口ポート３を湿度制御装置１４の入力ポート３６とした湿度監視器１と、この湿度監視器１の接続ポート７と、負荷５６である各給電線系５６ａに個々に接続パイプ５５で接続された各出力ポート３７を個々に接続する手動開閉バルブ１５と、手動開閉バルブ１５とは別に、接続ポート７に接続された状態で、湿度監視器１を介することなく、負荷５６側を強制放出ポート３９から直接外気中に開放する強制開閉バルブ１９と、湿度監視器１の送出ポート４と放出ポート３８との間に接続された電磁弁１７と調整バルブ１８との直列管路と、湿度監視器１の湿度センサ１１の検出信号に従って作動信号を出力する制御回路部２０とから構成されている。
【００３３】
湿度監視器１（以下、図３参照）は、底壁に入口ポート３を、そして筒壁に送出ポート４と装着ポート５とを設けた有底円筒形状をした金属製本体筒２と、この本体筒２の上端開放部に密に螺合組付けされ、頂壁に接続ポート７を設けた有頂円筒形状をした金属製キャップ筒６と、通気自在な箱体内に収納されて飛散が防止された状態で本体筒２内に収納された乾燥剤８と、装着ポート５に装着された湿度センサ１１とから構成されている。
【００３４】
各ポートの内部開口部には、乾燥剤８がポート内に侵入するのを防止するフィルター９が設けられており、本体筒２とキャップ筒６との間、および装着ポート５と湿度センサ１１との間には、シール達成のためのパッキン１０が設けられており、そして装着ポート５に対する湿度センサ１１の装着は、湿度センサ１１を先端部に組付け、湿度センサ１１の検出信号取り出しのための端子線１３を導出させたアダプタ１２の装着ポート５への組付けにより達成している。
【００３５】
制御回路部２０（以下、図４参照）は、湿度センサ１１からの検出信号が予め設定したしきい値以上となると作動信号を出力する回路手段と、この回路手段からの作動信号の入力により作動する第一タイマー３０と第二タイマー３１とから成るタイマー回路２９を有しており、第一タイマー３０は、一定に調整設定された自己保持時間を有し、電磁弁１７の電源との接続を制御する常開型接点である第一タイマー接点I３０ａと、常閉型接点である第一タイマー接点II３０ｂとから構成され、第二タイマー３１は、一定の作動開始遅延時間を有し、第一タイマー接点II３０ｂと直列接続されて警報信号を監視局に転送するための警報回路を形成する常開型接点である第二タイマー接点３１ａで構成されている。
【００３６】
また、商用交流電源が接続される湿度制御装置１４の電源用コネクタ４１に接続された電源端子３２には、回路手段および湿度センサ１１の電源を提供する電源用トランス２１と、第一タイマー３０の第一タイマー接点I３０ａを介して電磁弁１７が接続される電磁弁端子３３とが並列に接続されており、電源用トランス２１の二次側には、回路手段の一定直流電源を提供する定電圧回路２２と、湿度センサ１１の電源を生成するセンサ電源回路２３とが並列に接続されており、センサ電源回路２３の出力はセンサ端子３４を介して湿度センサ１１に印加されるようになっている。
【００３７】
回路手段は、湿度センサ１１の検出信号である電圧信号をゼロ調整およびスパン調整して、湿度センサ１１の出力特性を調整する増幅回路２４と、この増幅回路２４からの検出信号の電圧値としきい値とを比較し、検出信号がしきい値以上となった状態で信号を出力するコンパレータ２５と、このコンパレータ２５に予め設定したしきい値を出力する基準電圧回路２６と、コンパレータ２５の出力を増幅する電力増幅回路２７と、電力増幅回路２７の出力により作動して、そのリレー接点２８ａを閉路することにより、定電圧回路２２の一定電圧電力を作動信号としてタイマー回路２９に入力するリレー２８とから構成されている。
【００３８】
湿度制御装置１４の各手動開閉バルブ１５の下流側には圧力計１６がそれぞれ設けられていて、手動開閉バルブ１５を操作することにより、各給電線系５６ａ別に圧力変化による乾燥空気の漏出の有無を検査できるようにしている。
【００３９】
また、手動開閉バルブ１５が接続された管路には増設用ポート４０が設けられていて、新たな負荷５６として給電線系５６ａを接続増設することができるようにしている。
【００４０】
湿度制御装置１４の制御回路部２０に設けたタイマー回路２９は、電磁弁１７の一定時間単位の動作を設定制御すると共に、必要時に警報信号を出力するために設けたもので、電磁弁１７の動作を直接制御する第一タイマー３０に一定の自己保持時間を与え、この第一タイマー３０の第一タイマー接点I３０ａを電磁弁１７の電源回路に設けることにより、電磁弁１７の一定時間単位の動作制御を達成し、また第一タイマー３０の第一タイマー接点II３０ｂと、作動遅延時間の与えられた第二タイマー３１の第二タイマー接点３１ａを直列に接続することにより、電磁弁１７が一定時間開放した後でも、湿度センサ１１の検出信号がしきい値以下となっていない場合に警報信号を出力するようにしている。
【００４１】
なお、第二タイマー３１に一定の遅延時間を与えたのは、タイマー回路２９が作動した瞬間に、一瞬でも第一タイマー３０の常閉型接点である第一タイマー接点II３０ｂと第二タイマー３１の常開型接点である第二タイマー接点３１ａが短絡して、不正に警報信号が出力されるのを防止するためである。
【００４２】
ただし、第一タイマー３０のタイムアップにより電磁弁１７が閉鎖しても、湿度センサ１１の検出信号の値がしきい値以上である場合には、タイマー回路２９に作動信号が入力したままであるので、第二タイマー接点３１ａは“閉”状態のままであり、タイムアップによる第一タイマー３０の瞬間的なオフにより、第一タイマー接点II３０ｂが瞬間的に“閉”状態に復帰するので、この時、警報出力端子３５の両端子は短絡状態となり、監視局に警報信号を出力する。
【００４３】
【発明の効果】
本発明は、上記した構成となっているので、以下に示す効果を奏する。
乾燥空気供給源である供給装置と負荷との間に、負荷を含めた乾燥空気供給ライン中の湿度を監視するするので、負荷内の湿度を常に一定乾燥度以上に維持することができ、これにより無線通信システムの電送特性の湿度による劣化の発生を確実に阻止することができ、安定した電送動作を得ることができる。
【００４４】
負荷内に発生した経時的な通常の湿度劣化は、この湿度劣化した空気の放出と乾燥空気の供給とにより自動的に回復させることができるので、この湿度劣化の回復に人手を要することがなく、正確で安定した湿度劣化防止動作を得ることができる。
【００４５】
負荷内の湿度劣化を自動的にかつ確実に回復することができるので、周期的に現地に出向いて負荷内の乾燥空気を入れ換え作業する必要がなく、このため現場対応のための現地調査に多大な作業時間と費用を要することがなく、これにより無線通信システムの管理に要する経費を大幅に低減できると共に、優れた管理効果を発揮する。
【００４６】
警報信号が出力されるのは、負荷側の乾燥空気供給ライン内に多量の水分が溜まると云う異常状態となった場合であるので、この異常状態を速やかに検出することができ、かつこの異常状態に速やかに対応して回復させることができ、これにより無線通信システムの優れた電送特性を安定して維持することができる。
【図面の簡単な説明】
【図１】本発明の一実施例を示す、全体システム概要図。
【図２】図１に示した実施例における湿度制御装置の一構成例を示す、管路および配置図。
【図３】図２に示した実施例に組付けられた湿度監視器の一実施例を示す、半縦断面正面図。
【図４】図２に示した実施例に組付けられた制御回路部の回路構成例を示す図。
【符号の説明】
１    ；  湿度監視器              ２    ；  本体筒
３    ；  入口ポート              ４    ；  送出ポート
５    ；  装着ポート              ６    ；  キャップ筒
７    ；  接続ポート              ８    ；  乾燥剤
９    ；  フィルター              １０  ；  パッキン
１１  ；  湿度センサ              １２  ；  アダプタ
１３  ；  端子線                  １４  ；  湿度制御装置
１５  ；  手動開閉バルブ          １６  ；  圧力計
１７  ；  電磁弁                  １８  ；  調整バルブ
１９  ；  強制開閉バルブ          ２０  ；  制御回路部
２１  ；  電源用トランス          ２２  ；  定電圧回路
２３  ；  センサ電源回路          ２４  ；  増幅回路
２５  ；  コンパレータ            ２６  ；  基準電圧回路
２７  ；  電力増幅回路
２８  ；  リレー                  ２８ａ；  リレー接点
２９  ；  タイマー回路
３０  ；  第一タイマー            ３０ａ；  第一タイマー接点I
３０ｂ；  第一タイマー接点II
３１  ；  第二タイマー            ３１ａ；  第二タイマー接点
３２  ；  電源端子                ３３  ；  電磁弁端子
３４  ；  センサ端子              ３５  ；  警報出力端子
３６  ；  入力ポート              ３７  ；  出力ポート
３８  ；  放出ポート              ３９  ；  強制放出ポート
４０  ；  増設用ポート            ４１  ；  電源用コネクタ
４２  ；  警報用コネクタ          ４３  ；  無線室
４４  ；  供給装置                ４５  ；  圧縮機
４６  ；  収着槽                  ４７  ；  遮断電磁弁
４８  ；  逆止弁                  ４９  ；  圧力開放器
５０  ；  圧力計                  ５１  ；  警報器
５２  ；  送気ポート              ５３  ；  警報出力端子
５４  ；  送気パイプ              ５５  ；  接続パイプ
５６  ；  負荷                    ５６ａ；  給電線系
Ｋ    ；  検出器                  Ｂ    ；  分岐箱
【図１】
0003749960.tif 000002
【図２】
0003749960.tif 000003
【図３】
0003749960.tif 000004
【図４】
0003749960.tif 000005